(57)【特許請求の範囲】
【請求項１】
複数段の床台（１）と、前記各床台を水平状態で移動可能なように支持する脚部（２）と、前記各床台上に装着された複数個の椅子（３）とを具え、
前記各床台が、前記椅子の左右方向に水平に延在する貫材（４）と、その貫材の長手方向に間隔が空いた複数の部位に後端部をそれぞれ結合されてその貫材から前記椅子の前方向へ水平に突出する複数本の腕材（５）と、それら複数本の腕材上に張り渡された床材（６，７，８）とを有し、
前記脚部が、前記貫材の前記複数の部位に上端部をそれぞれ結合されてその貫材から下方に延在する複数本の支柱（10）と、それらの支柱の下端部に後端部付近をそれぞれ結合されて前記腕材と平行に延在する複数本の脚材（11）と、それらの脚材の前端部および後端部にそれぞれ設けられた移動用ローラー（12）とを有し、
前記複数本の支柱の長さが前記床台毎に床台間の段差分づつ異なるとともに、前記複数本の支柱の上端部が結合される前記貫材の部位が前記床台毎に少しずつずれることで、前記複数段の床台が、互いに階段状にずれる進出位置と互いに上下方向に整列する後退位置との間で水平状態のまま移動し得る、伸縮式の移動観覧席において、
前記複数本の腕材（５）の全てが、前記柱材（10）を介さず前記貫材（４）に揺動可能に軸支されるとともに、その揺動限位置を調節可能に規定されていることを特徴とする、移動観覧席。
【請求項２】
前記移動用ローラー（12）が、前記脚材（11）の前端部および後端部にそれぞれ複数個ずつ、その脚材の延在方向に並べて設けられていることを特徴とする、請求項１記載の移動観覧席。
【発明の詳細な説明】
【０００１】
【発明の属する技術分野】
この発明は、それぞれ複数個の椅子が装着された複数段の床台が、互いに階段状にずれる進出位置と互いに上下方向に整列する後退位置との間で水平状態のまま移動され得る、伸縮式の移動観覧席に関し、特には、その床台の構造に関するものである。
【０００２】
【従来の技術】
従来の上述の如き移動観覧席としては例えば、図４〜図７に示す如きものが知られている。この移動観覧席は、図６に示すように、複数段の床台１と、それらの床台１の各々を水平状態で移動可能なように支持する脚部２とを具え、また、図７に示すように、各床台１上に装着された複数個の座部起立式椅子３を具えている。
【０００３】
ここで、各床台１は、図４および図７に示す如き、椅子３の左右方向に水平に延在するリップ溝型鋼材からなる貫材（梁材）４と、その貫材４の長手方向に間隔が空いた複数の部位に後端部をそれぞれ結合されてその貫材４から椅子の前方向へ水平に突出する複数本の腕材５とを有するとともに、それら複数本の腕材５上に張り渡された床材としての、図５（ａ）に斜視図で示すとともに同図（ｂ）に断面図で示す如き、鋼板製の二種類の細長い床パネル６，７と、梯子状の椅子支持フレーム８と、前端部に配置される繋ぎ材９とを有しており、また、各脚部２は、貫材４の長手方向に間隔が空いた二カ所の部位に上端部をそれぞれ結合されてその貫材４から下方に延在する二本の支柱10と、それらの支柱10の下端部に後端部付近をそれぞれ結合されて腕材５と平行に延在する二本の脚材11と、それらの脚材11の前端部および後端部にそれぞれ設けられた移動用ローラー12とを有するとともに、支柱10を補強するために傾斜して配置されて上下端部を貫材４と支柱10の下端部とにそれぞれ結合されたブレース材13を有している。
【０００４】
そしてこの移動観覧席においては、上記複数本の支柱10の長さが床台１毎に床台間の段差分づつ異なるとともに、それら複数本の支柱10の上端部が結合される貫材４の部位が床台１毎に少しずつずれていることで、上記複数段の床台１が、図４および図６に示すように互いに階段状にずれる進出位置と、互いに上下方向に整列する後退位置との間で水平状態のまま、図示しない床台駆動装置によって駆動されて移動することができる。なお、各椅子３は、図示しない椅子駆動機構によって駆動されて、床台１が後退位置に移動する際には、床パネル６，７に沿う水平姿勢まで前方へ倒れ、また床台１が進出位置に移動する際には図７に示す使用位置まで起き上がる。
【０００５】
【発明が解決しようとする課題】
しかしながら、かかる従来の移動観覧席にあっては、腕材５のうちの二本が支柱10にそれぞれ溶接により一体に結合されてその支柱10を介して貫材４に結合されており、しかも二本の支柱10の間隔が床台１毎に少しずつ異なっているので、それら支柱10に結合された二本の腕材５の間隔が床台１毎に異なるものとなっていた。これがため上記従来の移動観覧席は、その全体を組み立てる際に床台１と支柱10とを別途に工場で組み立てておいて現場で組み合わせるという段取りを採ることが構造的に不可能であり、それゆえ現場での組み立てに手間と時間がかかるという不都合があった。
【０００６】
【課題を解決するための手段およびその作用・効果】
この発明は、上記課題を有利に解決した移動観覧席を提供することを目的とするものであり、この発明の移動観覧席は、複数段の床台と、前記各床台を水平状態で移動可能なように支持する脚部と、前記各床台上に装着された複数個の椅子とを具え、前記各床台が、前記椅子の左右方向に水平に延在する貫材と、その貫材の長手方向に間隔が空いた複数の部位に後端部をそれぞれ結合されてその貫材から前記椅子の前方向へ水平に突出する複数本の腕材と、それら複数本の腕材上に張り渡された床材とを有し、前記脚部が、前記貫材の前記複数の部位に上端部をそれぞれ結合されてその貫材から下方に延在する複数本の支柱と、それらの支柱の下端部に後端部付近をそれぞれ結合されて前記腕材と平行に延在する複数本の脚材と、それらの脚材の前端部および後端部にそれぞれ設けられた移動用ローラーとを有し、前記複数本の支柱の長さが前記床台毎に床台間の段差分づつ異なるとともに、前記複数本の支柱の上端部が結合される前記貫材の部位が前記床台毎に少しずつずれることで、前記複数段の床台が、互いに階段状にずれる進出位置と互いに上下方向に整列する後退位置との間で水平状態のまま移動し得る、伸縮式の移動観覧席において、前記複数本の腕材の全てが、前記柱材を介さず前記貫材に揺動可能に軸支されるとともに、その揺動限位置を調節可能に規定されていることを特徴とするものである。
【０００７】
かかる移動観覧席が組み立てられる際には、複数本の腕材の全てが、支柱を介さず直接的に貫材に結合されるので、あらかじめ工場で、椅子の左右方向に水平に延在する貫材の長手方向に間隔が空いた複数の部位にそれらの部位から椅子の前方向へ水平に突出するように複数本の腕材の後端部をそれぞれ結合し、前記複数本の腕材上に床材を張り渡すことで各床材を構成して、その床材上に複数個の椅子を設置する一方、それとは別個に、各支柱の下端部に脚材の後端部付近を結合し、その脚材の前後端部に移動用ローラーを設けて脚部を構成しておき、現場でそれら床台と脚部とを組み合わせることで移動観覧席の全体を組み立てるという段取りを採ることが可能となる。従ってこの発明の移動観覧席によれば、現場での組み立て作業を簡易にかつ短時間で行うことができる。
【０００８】
しかもこの発明の移動観覧席にあっては、複数本の腕材の全てが、支柱を介さず直接的に貫材に結合されるので、複数本の腕材の全てを共通部品とすることが可能になり、また床材の、腕材への取付用穴の穴開けピッチを、複数段の床台間で共通のものとすることが可能になる。従ってこの発明の移動観覧席によれば、腕材および床材の生産性を高めることができる。
【０００９】
なお、この発明においては、前記脚材の前端部および後端部にそれぞれ、前記移動用ローラーをその脚材の延在方向に複数個ずつ並べて設けるようにしても良い。従来の移動観覧席では、床台からの荷重を主に脚材の後端部付近で受けるという観点から、脚材の前端部に設けられた移動用ローラーが一個であったため、移動観覧席を進退移動させる床に目地があるとそこにローラーが落ち込んで移動抵抗が大きくなるという問題があった処、上記のように脚材の前端部および後端部に移動用ローラーをその脚材の延在方向に複数個ずつ並べて設ければ、前端部または後端部の一個のローラーが目地の位置に来てもその前端部または後端部の他のローラーが床で支持されてその目地上のローラーの目地への落ち込みを防止するので、移動抵抗が大きくなるのを防止することができる。
【００１０】
【実施例】
以下に、この発明の実施例を図面に基づき詳細に説明する。ここに、図１は、この発明の移動観覧席の一実施例を床材および椅子を省略して示す斜視図、また図２は、その実施例の移動観覧席の組み立て方法を示す分解斜視図、図３（ａ）は、その実施例の移動観覧席の貫材への腕材の取付構造を示す、腕材の長手方向に沿う断面図、同図（ｂ）は、上記取付構造を示す、同図（ａ）中の矢印Ｂ方向から見た後面図、同図（ｃ）は、上記取付構造を示す、同図（ａ）中の矢印Ｃ方向から見た正面図、同図（ｄ）は、上記取付構造における腕材取付金具の構造を示す分解斜視図、そして同図（ｅ）は、腕材の後端部の構造を示す分解斜視図であり、図中前記従来例と同様の部分はそれと同一の符号にて示す。
【００１１】
図１は、上記実施例の移動観覧席を床台二段分のみ示しており、この移動観覧席も、複数段の床台１と、それらの床台１の各々を水平状態で移動可能なように支持する脚部２とを具え、さらに図２に示すように、図７に示す従来例と同様、各床台１上に装着された複数個の座部起立式椅子３（図１では図示せず）を具えている。
【００１２】
そしてここにおける各床台１も、図１に示すように、図７に示すと同様に椅子３の左右方向に水平に延在する貫材４と、その貫材４の長手方向に間隔が空いた複数の部位に後端部をそれぞれ結合されてその貫材４から椅子の前方向へ水平に突出する複数本の腕材５とを有するとともに、図２に示すように、それら複数本の腕材５上に張り渡された床材としての、図５（ａ）に斜視図で示すとともに同図（ｂ）に断面図で示す如き、鋼板製の二種類の細長い床パネル６，７と、梯子状の椅子支持フレーム８と、前端部に配置される繋ぎ材９とを有している。
【００１３】
しかしてこの実施例では、貫材４は、後述のように支柱に一体的に結合されない腕材５の先端部の下がりを防止すべく捩じり剛性を高めるために、図２および図３（ａ）に示す如く角鋼管からなるものとされ、また腕材５は、先端部の下がりを防止すべく曲げ剛性を高めるために、図３（ａ）〜（ｃ）および（ｅ）に示す如く鋼板を溝型に曲げ加工した下材5aと平坦な鋼板の上材5bとを溶接接合してなるものとされている。そして上記床パネル６，７上には、図２に示すようにニードルパンチカーペット14が敷設されている。
【００１４】
またここにおける各脚部２も、図１に示すように、貫材４の長手方向に間隔が空いた二カ所の部位に上端部をそれぞれ結合されてその貫材４から下方に延在する角鋼管からなる二本の支柱10と、それらの支柱10の下端部に後端部付近をそれぞれ結合されて腕材５と実質的に平行に延在する断面コ字状の二本の脚材11と、それらの脚材11の前端部および後端部にそれぞれ設けられた移動用ローラー12とを有するとともに、支柱10を補強するために傾斜して配置されて上下端部を貫材４と支柱10の下端部とにそれぞれ結合された角鋼管からなるブレース材13を有している。
【００１５】
しかしてこの実施例では、複数本の腕材５の全てが、柱材10を介さず直接的に貫材４に結合されている。すなわちここでは、図２および図３に示すように、腕材５の後端部の上材5b上にブラケット15を溶接して、そのブラケット15を鋼板から組み立てた段付きの腕材取付金具16にボルト26によって揺動可能に軸支し、その腕材取付金具16を貫材４に二本のボルト17で結合固定することで、各腕材５が貫材４に結合されており、腕材取付金具16の後端部（図３（ａ）では右端部には、腕材５の揺動限位置を規定して腕材５の水平を出すためにストッパボルト18が、下方への突出量を調整可能に設けられ、また腕材取付金具16の段部には、上方の腕部５を移動可能に支持するために腕部支持ローラー19が、高さ調整可能に設けられている。なお、腕材取付金具16の前端部には、上記二本のボルト17のうちの一方が溶接固定されるとともに他方のボルト17と螺合するナット20が溶接固定されており、それによってここでは、貫材４への腕材５の取り付けが容易なものとされている。
【００１６】
その一方、支柱10の上端部は、貫材４に、上記腕材取付金具16と同様にして二本のボルト17により結合固定されており、またブレース材13の上端部は、箱状のブレース材取付金具21に一本のボルト22で結合され、そのブレース材取付金具21は、貫材４に、上記腕材取付金具16と同様にして二本のボルト17により結合固定されている。そしてブレース材13の下端部は、支柱10の下端部に一本のボルト22で結合されている。なお、上記腕材取付金具16、支柱10の上端部およびブレース材取付金具21をボルト17によりそれぞれ結合固定される貫材４の各部位には、貫材４内に挿入配置されてそのボルト17を挿通される丸鋼管23と、貫材４の側面に溶接されてその丸鋼管23を貫材４内に固定するとともに貫材４の側面を補強する固定板24とが設けられている。
【００１７】
さらにここでは、移動用ローラー12が、図１に示すように、脚材11の前端部および後端部にそれぞれ二個ずつ、その脚材11の延在方向に並べられて軸支されている。
【００１８】
そしてこの移動観覧席においても、上記複数本の支柱10の長さが床台１毎に床台間の段差分づつ異なるとともに、それら複数本の支柱10の上端部が結合される貫材４の部位が床台１毎に少しずつずれていることで、上記複数段の床台１が、図１に示すように互いに階段状にずれる進出位置と、互いに上下方向に整列する図示しない後退位置との間で水平状態のまま、図示しない床台駆動装置によって駆動されて移動することができ、その進出位置を規定するために、各支柱10の上端部には、床台１の裏面に固定された図示しない当接部材と当接し得る進出位置調整ボルト25が前後移動可能に設けられている。また、上記各椅子３は、図示しない椅子駆動機構によって駆動されて、床台１が後退位置に移動する際には、床パネル６，７に沿う水平姿勢まで前方へ倒れ、また床台１が進出位置に移動する際には図７に示す如き使用位置まで起き上がる。
【００１９】
かかる構成を具えるこの実施例の伸縮式移動観覧席が組み立てられる際には、複数本の腕材５の全てが、支柱10を介さず直接的に貫材４に結合されるので、あらかじめ工場で、椅子３の左右方向に水平に延在する貫材４の長手方向に間隔が空いた複数の部位にそれらの部位から椅子３の前方向へ水平に突出するように複数本の腕材５の後端部をそれぞれ腕材取付金具16によって結合し、それら複数本の腕材５上に床材としての床パネル６，７、椅子支持フレーム８、繋ぎ材９およびニードルパンチカーペット14を張り渡すことで各床材１を構成して、その床材１上に椅子３を設置する一方、それとは別個に、各支柱10の下端部に脚材11の後端部付近を結合し、その脚材11の前後端部に移動用ローラー12を二個ずつ設けて脚部２を構成しておき、現場でそれら床台１と脚部２とを組み合わせることで移動観覧席の全体を組み立てるという段取りを採ることが可能となる。従ってこの実施例の移動観覧席によれば、現場での組み立て作業を簡易にかつ短時間で行うことができる。
【００２０】
しかもこの実施例の移動観覧席にあっては、複数本の腕材５の全てが、支柱10を介さず直接的に貫材４に結合されるので、複数本の腕材５の全てを共通部品とすることが可能になり、また床材としての床パネル６，７、椅子支持フレーム８および繋ぎ材９の、腕材５への取付用穴の穴開けピッチを、複数段の床台１間で共通のものとすることが可能になる。従ってこの発明の移動観覧席によれば、腕材５および床材６，７，８の生産性を高めることができる。
【００２１】
さらにこの実施例の移動観覧席にあっては、脚材11の前端部および後端部にそれぞれ、移動用ローラー12がその脚材11の延在方向に二個ずつ並べられて設けられていることから、脚材11の前端部または後端部の一個のローラー12が目地の位置に来てもその前端部または後端部の他のローラー12が床で支持されてその目地上のローラー12の目地への落ち込みを防止するので、脚部２の移動抵抗が大きくなるのを防止することができる。
【００２２】
なお、この実施例の移動観覧席は、床台１の貫材４の端部に図２の左上端部に示すようにフランジ26を溶接して、そのフランジ26を介して貫材４同士を結合することで、椅子の左右方向に複数連結して使用することができる。
【００２３】
以上、図示例に基づき説明したが、この発明は上述の例に限定されるものでなく、例えば、床材の種類、腕材や支柱の本数、そして移動用ローラーの個数を、特許請求の範囲の記載の範囲内で所要に応じて適宜変更しても良い。また、椅子の形状や構造、貫材の断面形状、そして貫材への腕材や柱材の結合構造を、特許請求の範囲の記載の範囲内で所要に応じて適宜変更することもできる。
【図面の簡単な説明】
【図１】この発明の移動観覧席の一実施例を床材および椅子を省略して示す斜視図である。
【図２】上記実施例の移動観覧席の組み立て方法を示す分解斜視図である。
【図３】上記実施例の移動観覧席の貫材への腕材の取付構造を示す説明図である。
【図４】従来の移動観覧席の構造を示す斜視図である。
【図５】上記従来の移動観覧席の床材を示す説明図である。
【図６】上記従来の移動観覧席の全体を示す斜視図である。
【図７】上記従来の移動観覧席の一段分のみを示す斜視図である。
【符号の説明】
１  床台
２  脚部
３  椅子
４  貫材
５  腕材
６，７  床パネル
８  椅子支持フレーム
10  支柱
11  脚材
12  移動用ローラー
【図１】
0003903354.tif 000002
【図２】
0003903354.tif 000003
【図３】
0003903354.tif 000004
【図４】
0003903354.tif 000005
【図５】
0003903354.tif 000006
【図６】
0003903354.tif 000007
【図７】
0003903354.tif 000008